(57)【特許請求の範囲】
【請求項１】
ガス供給元から複数の住宅側に燃料ガスを供給するメイン流路と、
前記メイン流路をバイパスするバイパス流路と、
前記メイン流路に設けられた親調整器と、
前記バイパス流路に設けられ、前記親調整器の調整圧力よりも調整圧力が高く設定された子調整器と、
所定流量以上のガス漏洩を検知する漏洩検知装置と、を備えた漏洩検知システムであって、
前記漏洩検知装置は、予め流量圧力特性を記憶すると共に、所定の時間帯に前記親調整器における圧力に応じた信号を出力する圧力計測手段により出力された信号に基づく圧力値を初期値として記憶する記憶部と、前記圧力計測手段により出力された信号と前記初期値とに基づいて圧力降下量を算出する圧力降下量算出手段と、前記圧力降下量算出手段により算出された圧力降下量と前記記憶部に記憶される流量圧力特性とから流量を推定する流量推定手段と、前記流量推定手段により推定された流量から所定流量以上のガス漏洩を検知する漏洩検知手段と、
を備えることを特徴とする漏洩検知システム。
【請求項２】
前記圧力降下量算出手段は、規定流量以上の流量が発生している場合に圧力降下量を算出する
ことを特徴とする請求項１に記載の漏洩検知システム。
【請求項３】
予め流量圧力特性を記憶すると共に、所定の時間帯に、ガス供給元から複数の住宅側に燃料ガスを供給するメイン流路をバイパスするバイパス流路に設けられた子調整器よりも調整圧力が低く設定された親調整器における圧力に応じた信号を出力する圧力計測手段により出力された信号に基づく圧力値を初期値として記憶する記憶部と、
前記圧力計測手段により出力された信号と前記初期値とに基づいて圧力降下量を算出する圧力降下量算出手段と、
前記圧力降下量算出手段により算出された圧力降下量と前記記憶部に記憶される流量圧力特性とから流量を推定する流量推定手段と、
前記流量推定手段により推定された流量から所定流量以上のガス漏洩を検知する漏洩検知手段と、
を備えることを特徴とする漏洩検知装置。
【請求項４】
ガス供給元から複数の住宅側に燃料ガスを供給するメイン流路と、
前記メイン流路をバイパスするバイパス流路と、
前記メイン流路に設けられた親調整器と、
前記バイパス流路に設けられ、前記親調整器の調整圧力よりも調整圧力が高く設定された子調整器と、
所定流量以上のガス漏洩を検知する漏洩検知装置と、を備えた漏洩検知システムの漏洩検知方法であって、
所定の時間帯に前記親調整器における圧力に応じた信号を出力する圧力計測手段により出力された信号に基づく圧力値を初期値として記憶する記憶工程と、
前記圧力計測手段により出力された信号と前記初期値とに基づいて圧力降下量を算出する圧力降下量算出工程と、
前記圧力降下量算出工程において算出された圧力降下量と予め記憶される流量圧力特性とから流量を推定する流量推定工程と、
前記流量推定工程において推定された流量から所定流量以上のガス漏洩を検知する漏洩検知工程と、
を有することを特徴とする漏洩検知方法。
【発明の詳細な説明】
【技術分野】
【０００１】
本発明は、漏洩検知システム、漏洩検知装置及び漏洩検知方法に関する。
【背景技術】
【０００２】
従来、埋設管やゴム管の破損により生じた大量なガス漏れを確実に検出する漏洩検知装置が提案されている。この漏洩検知装置は、圧力センサによりガス圧力を検出し、検出されたガス圧力が正常範囲外であるか否かを判断する。そして、漏洩検知装置は、正常範囲外である状態が所定時間以上継続した場合に、大量漏洩であると判断する（例えば特許文献１参照）。
【先行技術文献】
【特許文献】
【０００３】
【特許文献１】特開２００２−３１５８０号公報
【発明の概要】
【発明が解決しようとする課題】
【０００４】
しかし、従来の漏洩検知装置では、正常範囲外のガス圧力が所定時間以上継続しなければ、大量漏洩を判断できない。特に、漏洩検知装置がＬＰ（Liquefied Petroleum）ガスを供給するガス供給システムに用いられている場合、ＬＰガスボンベ内のガスが殆ど流出してしまう可能性もある。
【０００５】
本発明はこのような従来の課題を解決するためになされたものであり、その発明の目的とするところは、早期に大量漏洩を検知することが可能な漏洩検知システム、漏洩検知装置及び漏洩検知方法を提供することにある。
【課題を解決するための手段】
【０００６】
本発明の漏洩検知システムは、ガス供給元から複数の住宅側に燃料ガスを供給するメイン流路と、前記メイン流路をバイパスするバイパス流路と、前記メイン流路に設けられた親調整器と、前記バイパス流路に設けられ、前記親調整器の調整圧力よりも調整圧力が高く設定された子調整器と、所定流量以上のガス漏洩を検知する漏洩検知装置と、を備えた漏洩検知システムであって、前記漏洩検知装置は、予め流量圧力特性を記憶すると共に、所定の時間帯に前記親調整器における圧力に応じた信号を出力する圧力計測手段により出力された信号に基づく圧力値を初期値として記憶する記憶部と、前記圧力計測手段により出力された信号と前記初期値とに基づいて圧力降下量を算出する圧力降下量算出手段と、前記圧力降下量算出手段により算出された圧力降下量と前記記憶部に記憶される流量圧力特性とから流量を推定する流量推定手段と、前記流量推定手段により推定された流量から所定流量以上のガス漏洩を検知する漏洩検知手段と、を備えることを特徴とする。
【０００７】
この漏洩検知システムによれば、親調整器における圧力に応じた信号から圧力降下量を算出する。ここで、流量が増加すると親調整器の圧力は低下する傾向がある。このため、算出された圧力降下量から流量を推定することができる。特に、圧力降下は流量増加にあわせて比較的瞬時に発生することから、早期に大量漏洩を検知することができる。
【０００８】
また、本発明の漏洩検知システムにおいて、前記圧力降下量算出手段は、規定流量以上の流量が発生している場合に圧力降下量を算出することが好ましい。
【０００９】
この漏洩検知システムによれば、規定流量以上の流量が発生している場合に圧力降下量を算出するため、例えば流量が殆ど発生しておらず、周囲温度の変化によって圧力降下が発生する場合に、誤って大量漏洩と判断してしまう可能性を低減することができる。
【００１０】
また、本発明の漏洩検知システムにおいて、前記親調整器は、ベンチュリ効果を抑制する効果抑制機構を有することが好ましい。
【００１１】
この漏洩検知システムによれば、ベンチュリ効果を抑制する効果抑制機構を有するため、高流量域においても流量に応じて圧力が変化することとなり、多くの戸数を有する集合住宅等においても、圧力降下量から流量を推定することができる。
【００１２】
また、本発明の漏洩検知装置において、予め流量圧力特性を記憶すると共に、所定の時間帯に、ガス供給元から複数の住宅側に燃料ガスを供給するメイン流路をバイパスするバイパス流路に設けられた子調整器よりも調整圧力が低く設定された親調整器における圧力に応じた信号を出力する圧力計測手段により出力された信号に基づく圧力値を初期値として記憶する記憶部と、前記圧力計測手段により出力された信号と前記初期値とに基づいて圧力降下量を算出する圧力降下量算出手段と、前記圧力降下量算出手段により算出された圧力降下量と前記記憶部に記憶される流量圧力特性とから流量を推定する流量推定手段と、前記流量推定手段により推定された流量から所定流量以上のガス漏洩を検知する漏洩検知手段と、を備えることを特徴とする。
【００１３】
この漏洩検知装置によれば、親調整器における圧力に応じた信号から圧力降下量を算出する。ここで、流量が増加すると親調整器の圧力は低下する傾向がある。このため、算出された圧力降下量から流量を推定することができる。特に、圧力降下は流量増加にあわせて比較的瞬時に発生することから、早期に大量漏洩を検知することができる。
【００１４】
また、本発明の漏洩検知方法において、ガス供給元から複数の住宅側に燃料ガスを供給するメイン流路と、前記メイン流路をバイパスするバイパス流路と、前記メイン流路に設けられた親調整器と、前記バイパス流路に設けられ、前記親調整器の調整圧力よりも調整圧力が高く設定された子調整器と、所定流量以上のガス漏洩を検知する漏洩検知装置と、を備えた漏洩検知システムの漏洩検知方法であって、所定の時間帯に前記親調整器における圧力に応じた信号を出力する圧力計測手段により出力された信号に基づく圧力値を初期値として記憶する記憶工程と、前記圧力計測手段により出力された信号と前記初期値とに基づいて圧力降下量を算出する圧力降下量算出工程と、前記圧力降下量算出工程において算出された圧力降下量と予め記憶される流量圧力特性とから流量を推定する流量推定工程と、前記流量推定工程において推定された流量から所定流量以上のガス漏洩を検知する漏洩検知工程と、を有することを特徴とする。
【００１５】
この漏洩検知方法によれば、親調整器における圧力に応じた信号から圧力降下量を算出する。ここで、流量が増加すると親調整器の圧力は低下する傾向がある。このため、算出された圧力降下量から流量を推定することができる。特に、圧力降下は流量増加にあわせて比較的瞬時に発生することから、早期に大量漏洩を検知することができる。
【００１６】
本発明によれば、早期に大量漏洩を検知することが可能な漏洩検知システム、漏洩検知装置及び漏洩検知方法を提供することができる。
【図面の簡単な説明】
【００１７】
【図１】本発明の実施形態に係る漏洩検知システムを含むガス供給システムの構成図である。
【図２】図１に示した漏洩検知装置の詳細を示す構成図である。
【図３】図２に示した記憶部に記憶される親調整器の流量−圧力特性の一例を示すグラフである。
【図４】本実施形態に係る漏洩検知方法を示すフローチャートであって、初期値の記憶処理を示している。
【図５】本実施形態に係る漏洩検知方法を示すフローチャートであって、大量漏洩の判断処理を示している。
【図６】第２実施形態に係る親調整器の流量−圧力特性の一例を示すグラフである。
【図７】第２実施形態に係る親調整器のダイヤフラム上流流路の構造を示す図であって、（ａ）は断面図を示し、（ｂ）は正面図を示している。
【発明を実施するための形態】
【００１８】
以下、本発明の好適な実施形態を図面に基づいて説明する。図１は、本発明の実施形態に係る漏洩検知システムを含むガス供給システム１の構成図である。なお、以下では、ＬＰガスを燃料ガスとして供給するガス供給システム１を例に説明するが、これに限らず、ガス供給システム１は都市ガスを供給するものであってもよい。
【００１９】
ガス供給システム１は、ガスボンベ（ガス供給元）１１０から複数の住宅２に燃料ガスを供給する住宅設備である。このガス供給システム１は、漏洩検知システム１００と、住宅側設備２００とからなっている。漏洩検知システム１００は、ガスボンベ１１０と、ガス流路１２０と、圧力調整器１３０〜１５０と、漏洩検知装置１６０とを備えている。
【００２０】
ガス流路１２０は、ガスボンベ１１０から複数の住宅２側まで連続する流路であって、メイン流路１２１と、バイパス流路１２２とからなっている。メイン流路１２１は、ガスボンベ１１０から複数の住宅２側に燃料ガスを供給するメインとなる流路である。バイパス流路１２２は、メイン流路１２１をバイパスするものであって、両端がメイン流路１２１に接続されている。
【００２１】
圧力調整器１３０〜１５０は、ガス流路１２０上に設けられ、閉塞状態と開放状態との２状態により下流側のガス圧力を調整するものである。このうち、元調整器１３０はガスボンベ１１０側に設けられている。また、親調整器１４０は、メイン流路１２１に設けられている。詳細に親調整器１４０は、メイン流路１２１のうちバイパス流路１２２によってバイパスされる部分に設けられている。子調整器１５０は、バイパス流路１２２に設けられ、親調整器１４０の調整圧力よりも調整圧力が高く設定されたものである。漏洩検知装置１６０は、ガス流路１２０のうちバイパス流路１２２上に設けられ、所定流量以上のガス漏洩（すなわち大量漏洩）を検知するものである。
【００２２】
住宅側設備２００は、複数の個別ガス流路２１０と、複数のバルブ２２０と、複数のガスメータ２３０と、複数のガス器具２４０とを備えている。複数の個別ガス流路２１０は、ガス流路１２０を通じて流れてきた燃料ガスを複数の住宅２に供給するものである。これら複数の個別ガス流路２１０は、ガス流路１２０から分岐するようにして、複数の住宅２にそれぞれに燃料ガスを供給する。
【００２３】
バルブ２２０は、各個別ガス流路２１０の上流部位に設けられている。このバルブ２２０を開閉することにより、各住宅２の住居者は燃料ガスを家庭内に引き込むことができる。
【００２４】
ガスメータ２３０は、燃料ガスの流量を測定して積算流量を表示するものである。複数のガス器具２４０は、ガスストーブ、ファンヒータ、給湯器、床暖房、ガステーブル、及び、ガスＢＦ風呂釜などである。
【００２５】
このようなガス供給システム１において、小流量の燃料ガスは、親調整器１４０と子調整器１５０との調整圧力の違いから、親調整器１４０側を流れず、子調整器１５０側を介して流れることとなる。また、大流量の燃料ガスは、親調整器１４０及び子調整器１５０の双方を介して流れることとなる。
【００２６】
図２は、図１に示した漏洩検知装置１６０の詳細を示す構成図である。図２に示すように、漏洩検知装置１６０は、圧力センサ（圧力計測手段）１６１と、流量センサ１６２と、記憶部１６３と、制御部１６４とを備えている。
【００２７】
圧力センサ１６１は、親調整器１４０における圧力に応じた信号を出力するものであって、ピエゾ抵抗式や静電容量式などのセンサによって構成されている。図１に示すように、親調整器１４０は、親調整器１４０内から漏洩検知装置１６０まで接続するチューブ１４１を有しており、親調整器１４０内の圧力は漏洩検知装置１６０まで導かれる。圧力センサ１６１は、親調整器１４０から導かれた圧力を検出するように設置されており、親調整器１４０における圧力に応じた信号を出力することとなる。
【００２８】
流量センサ１６２は、漏洩検知装置１６０の流路内におけるガス流量に応じた計測信号を出力するものであって、超音波センサやフローセンサなどで構成される。記憶部１６３は、各種データを記憶したものであって、後述する圧力初期値や、親調整器１４０の流量−圧力特性を記憶している。
【００２９】
制御部１６４は、漏洩検知装置１６０の全体を制御するものであって、圧力降下量算出部（圧力降下量算出手段）１６４ａと、流量推定部（流量推定手段）１６４ｂと、漏洩検知部（漏洩検知手段）１６４ｃと、遮断制御部１６４ｄとを備えている。なお、上記の記憶部１６３と制御部１６４とはＣＰＵ（Central Processing Unit）により構成することができる。
【００３０】
圧力降下量算出部１６４ａは、圧力センサ１６１により出力された信号から圧力降下量を算出するものである。例えば圧力降下量算出部１６４ａは、１日の中で多めにガスを使っている時間帯の圧力を初期値として測定する。ここで、初期値が２．９０ｋＰａであったとする。圧力降下量算出部１６４ａは、この初期値を記憶部１６３に記憶させる。その後、圧力降下量算出部１６４ａは、圧力を測定し、測定した圧力と初期値との差を圧力降下量として算出することとなる。
【００３１】
流量推定部１６４ｂは、圧力降下量算出部１６４ａにより算出された圧力降下量から流量を推定するものである。この流量推定部１６４ｂは、記憶部１６３に記憶される親調整器１４０の流量−圧力特性に従って流量を推定する。
【００３２】
図３は、図２に示した記憶部１６３に記憶される親調整器１４０の流量−圧力特性の一例を示すグラフである。図３に示すように、親調整器１４０は、流量が０Ｌ／ｈのときに圧力は３．１０ｋＰａを示し、流量が４００Ｌ／ｈのときに圧力は２．９５ｋＰａを示している。同様に、流量が８００Ｌ／ｈのときに圧力は２．９３ｋＰａを示し、流量が１５００Ｌ／ｈのときに圧力は２．９０ｋＰａを示している。
【００３３】
流量推定部１６４ｂは、図３に示したような流量−圧力特性に基づいて流量を推定する。具体的に説明すると、まず、初期値として流量が４００Ｌ／ｈのときに圧力が２．９５ｋＰａであると記憶されている。圧力が０．５０ｋＰａ低下したとする。このとき、流量推定部１６４ｂは、圧力降下量から、流量が１５００Ｌ／ｈと推定する。
【００３４】
再度、図２を参照する。漏洩検知部１６４ｃは、流量推定部１６４ｂにより推定された流量から所定流量以上のガス漏洩（すなわち大量漏洩）を検知するものである。ガス器具２４０が一斉に使用されたとしても１５００Ｌ／ｈ以上の流量が発生しない比較的小さな集合住宅（２戸や４戸など）において、例えば流量推定部１６４ｂにより１５００Ｌ／ｈの流量が推定された場合、これは大量漏洩であるといえる。このため、漏洩検知部１６４ｃは、流量推定部１６４ｂにより推定された流量が１５００Ｌ／ｈである場合に、大量漏洩であると検知する。
【００３５】
なお、大量漏洩を検知するための所定流量は、集合住宅の大きさなどによって適宜設定できる。さらに、図３を参照すると、１５００Ｌ／ｈと４０００Ｌ／ｈとの圧力は同じ値となっている。このため、１５００Ｌ／ｈを超える流量を推定することはできないが、例えば、初期値として流量が４００Ｌ／ｈのときに圧力が２．９５ｋＰａであると記憶され、圧力が０．５０ｋＰａ低下した場合、少なくとも１５００Ｌ／ｈの流量が発生していると推定できるため、何ら問題ない。
【００３６】
加えて、圧力は周囲温度の変化によって変動する。このため、流量推定部１６４ｂは、周囲温度に応じて初期値を補正したり、推定した流量結果を補正したりすることが望ましい。
【００３７】
遮断制御部１６５ｄは、漏洩検知部１６４ｃにより大量漏洩が検知された場合に、遮断弁を弁閉動作させるものである。この遮断制御部１６５ｄは、直接遮断弁に弁閉する旨の信号を送ってもよいし、ガス管理センターなどに大量漏洩の事実を送信し、ガス管理センターから遮断弁に弁閉する旨の信号を送ってもよい。
【００３８】
また、圧力降下量算出部１６４ａは、規定流量（例えば２１Ｌ／ｈ）以上の流量が発生している場合に圧力降下量を算出することが望ましい。これにより、例えば流量が殆ど発生しておらず、周囲温度の変化によって圧力降下が発生する場合に、誤って大量漏洩と判断してしまう可能性を低減することができるからである。
【００３９】
次に、本実施形態に係る漏洩検知方法について説明する。図４は、本実施形態に係る漏洩検知方法を示すフローチャートであって、初期値の記憶処理を示している。なお、図４に示す処理は初期的に１回だけ行われてもよいし、数日毎など予め定められた間隔で実行されてもよい。
【００４０】
まず、図４に示すように、制御部１６２は、流量センサ１６２からの信号に基づいて、規定流量以上の流量が発生しているか否かを判断する（Ｓ１）。規定流量以上の流量が発生していないと判断した場合（Ｓ１：ＮＯ）、規定流量以上の流量が発生したと判断されるまで、この処理が繰り返される。
【００４１】
一方、規定流量以上の流量が発生したと判断した場合（Ｓ１：ＹＥＳ）、制御部１６４は、所定の時間帯であるか否かを判断する（Ｓ２）。ここで、所定の時間帯とは、朝方や夕方など、他の時間帯よりもガス使用量が高まる時間帯である。
【００４２】
所定の時間帯でないと判断した場合（Ｓ２：ＮＯ）、処理はステップＳ１に移行する。一方、所定の時間帯であると判断した場合（Ｓ２：ＹＥＳ）、制御部１６４は、流量値及び圧力値を初期値として記憶部１６３に記憶させる（Ｓ３）。その後、図４に示す処理は終了する。
【００４３】
なお、所定の時間帯であると判断した場合（Ｓ２：ＹＥＳ）に、初期値を記憶する理由は以下の通りである。まず、初期値は、流量推定部１６４ｂによる流量推定に用いられる。このとき、ガス使用量が小さかったときの流量値及び圧力値を初期値とすると、大流量が発生した場合における流量推定時に誤差が大きくなる可能性がある。
【００４４】
図３に示すように、流量が２００Ｌ／ｈ未満の領域では、流量に応じて圧力の変動量が大きい。このため、測定誤差も大きくなる可能性が高く、ガス使用量が高まる所定時間帯の流量値及び圧力値を初期値として記憶することで、誤差を軽減することができる。特に、流量が１８０Ｌ／ｈ未満では、親調整器１４０を介してガスが流れず、子調整器１５０のみを介してガスが流れる。このため、流量−圧力特性は、子調整器１５０を考慮すると、破線（図３参照）に示すようになる。このため、この領域における流量値及び圧力値を初期値として記憶してしまうと、誤差の発生要因となってしまう。よって、ガス使用量が高まる所定時間帯の流量値及び圧力値を初期値として記憶することで、一層誤差を軽減することができる。
【００４５】
図５は、本実施形態に係る漏洩検知方法を示すフローチャートであって、大量漏洩の判断処理を示している。なお、図５に示す処理は、漏洩検知装置１６０の電源がオフされるまで、繰り返し実行されるものとする。
【００４６】
まず、図５に示すように、制御部１６２は、流量センサ１６２からの信号に基づいて、規定流量以上の流量が発生しているか否かを判断する（Ｓ１１）。規定流量以上の流量が発生していないと判断した場合（Ｓ１１：ＮＯ）、規定流量以上の流量が発生したと判断されるまで、この処理が繰り返される。
【００４７】
一方、規定流量以上の流量が発生したと判断した場合（Ｓ１：ＹＥＳ）、制御部１６４は、圧力センサ１６１からの信号に基づいて、親調整器１４０における圧力を計測する（Ｓ１２）。次いで、圧力降下量算出部１６４ａは、ステップＳ１２において計測された圧力と図４のステップＳ３において記憶した初期値（圧力値）とから、圧力降下量を算出する（Ｓ１３）。
【００４８】
次に、流量推定部１６４ｂは、ステップＳ１３において算出された圧力降下量、初期値（流量値）、及び、記憶部１６３に記憶されるデータテーブルから、流量を推定する（Ｓ１４）。そして、漏洩検知部１６４ｃは、ステップＳ１４において算出された流量が所定流量以上であるか否かを判断する（Ｓ１５）。
【００４９】
ステップＳ１４において算出された流量が所定流量以上でないと判断した場合（Ｓ１５：ＮＯ）、図５に示す処理は終了する。一方、ステップＳ１４において算出された流量が所定流量以上であると判断した場合（Ｓ１５：ＹＥＳ）、遮断制御部１６４ｄは、遮断弁を弁閉するための制御を実行する（Ｓ１６）。その後、図５に示す処理は終了する。
【００５０】
このようにして、本実施形態に係る漏洩検知システム１、漏洩検知装置１６０及び漏洩検知方法によれば、親調整器１４０における圧力に応じた信号から圧力降下量を算出する。ここで、流量が増加すると親調整器１４０の圧力は低下する傾向がある。このため、算出された圧力降下量から流量を推定することができる。特に、圧力降下は流量増加にあわせて比較的瞬時に発生することから、早期に大量漏洩を検知することができる。
【００５１】
また、規定流量以上の流量が発生している場合に圧力降下量を算出するため、例えば流量が殆ど発生しておらず、周囲温度の変化によって圧力降下が発生する場合に、誤って大量漏洩と判断してしまう可能性を低減することができる。
【００５２】
次に、本発明の第２実施形態を説明する。第２実施形態に係る漏洩検知システム１は、第１実施形態のものと同様であるが、構成及び処理内容が一部異なっている。以下、第１実施形態との相違点を説明する。
【００５３】
まず、第２実施形態に係る親調整器１４０は、ベンチュリ効果が抑制されている。すなわち、通常の親調整器１４０ではベンチュリ効果を発揮するための構造となっているため、図３に示す流量１５００Ｌ／ｈ以上の領域のように、流量の増加にあわせて圧力が低下しないようになっている。
【００５４】
これに対して、第２実施形態に係る親調整器１４０は、ベンチュリ効果が抑制されているため、図６に示すように、流量１５００Ｌ／ｈ以上の領域であっても流量の増加にあわせて圧力が低下するようになっている。
【００５５】
図６は、第２実施形態に係る親調整器１４０の流量−圧力特性の一例を示すグラフである。図６に示すように、ベンチュリ効果が抑制されることによって、親調整器１４０は、流量が１５００Ｌ／ｈのときに圧力が２．９０ｋＰａであり、流量が４０００Ｌ／ｈのときに圧力が２．８５ｋＰａとなる。
【００５６】
また、第２実施形態において記憶部１６３は、図６に示すような流量−圧力特性を記憶している。従って、第２実施形態に係る流量推定部１６４ｂは、圧力降下量算出部１６４ａにより算出された圧力降下量に基づいて、１５００Ｌ／ｈ以上の領域における流量について推定することができる。
【００５７】
なお、ベンチュリ効果を抑制したことにより、流量−圧力特性は、流量２００Ｌ／ｈから４０００Ｌ／ｈまで略直線的になっている。よって、記憶部１６３は、流量２００Ｌ／ｈから４０００Ｌ／ｈまでの流量−圧力特性を直線近似した近似式を記憶していてもよい。
【００５８】
ここで、親調整器１４０のベンチュリ効果を抑制する効果抑制機構は複数存在するが、好適には以下の効果抑制機構を採用するとよい。図７は、第２実施形態に係る親調整器１４０のダイヤフラム上流流路の構造を示す図であって、（ａ）は断面図を示し、（ｂ）は正面図を示している。
【００５９】
図７（ａ）に示すように、不図示のダイヤフラム上流の流路内には略Ｈ断面を有する弁１４１が設けられている。この弁１４１の上流側にはゴム部材１４２が取り付けられている。
【００６０】
また、図７（ａ）及び図７（ｂ）に示すように、弁１４１は、下流側の流路上方を塞ぐ突起部１４１ａを有している。本実施形態において流路の上方側には、ダイヤフラムが設けられており、流路上方を塞ぐことによって流量下方からガスが流れ、このガスが上方に位置するダイヤフラムを押し上げることとなる。これにより、ベンチュリ効果が相殺されて抑制されることとなる。
【００６１】
以上より、ベンチュリ効果が抑制されることから、１５００Ｌ／ｈ以上の流量について推定ができることとなり、比較的大きな集合住宅（５戸以上など）において、大量漏れを早期に検知することができる。
【００６２】
このようにして、第２実施形態に係る漏洩検知システム１、漏洩検知装置１６０及び漏洩検知方法によれば、早期に大量漏洩を検知することができると共に、誤って大量漏洩と判断してしまう可能性を低減することができる。
【００６３】
また、ベンチュリ効果を抑制する効果抑制機構を有するため、高流量域においても流量に応じて圧力が変化することとなり、多くの戸数を有する集合住宅等においても、圧力降下量から流量を推定することができる。
【００６４】
以上、実施形態に基づき本発明を説明したが、本発明は上記実施形態に限られるものではなく、本発明の趣旨を逸脱しない範囲で、変更を加えてもよい。
【００６５】
例えば、本実施形態において漏洩検知装置１６０は圧力センサ１６１を備えているが、これに限らず、親調整器１４０が圧力センサを備え、その圧力センサからの信号を漏洩検知装置１６０に入力するようにしてもよい。
【符号の説明】
【００６６】
１…ガス供給システム
２…住宅
１００…漏洩検知システム
１１０…ガスボンベ（ガス供給元）
１２０…ガス流路
１２１…メイン流路
１２２…バイパス流路
１３０…元調整器
１４０…親調整器
１４１…弁
１４１ａ…突起部
１４２…ゴム部材
１５０…子調整器
１６０…漏洩検知装置
１６１…圧力センサ（圧力計測手段）
１６２…流量センサ
１６３…記憶部
１６４…制御部
１６４ａ…圧力降下量算出部（圧力降下量算出手段）
１６４ｂ…流量推定部（流量推定手段）
１６４ｃ…漏洩検知部（漏洩検知手段）
１６４ｄ…遮断制御部
２００…住宅側設備
２１０…複数の個別ガス流路
２２０…複数のバルブ
２３０…複数のガスメータ
２４０…複数のガス器具
【図１】
0005618623.tif 000002
【図２】
0005618623.tif 000003
【図３】
0005618623.tif 000004
【図４】
0005618623.tif 000005
【図５】
0005618623.tif 000006
【図６】
0005618623.tif 000007
【図７】
0005618623.tif 000008